(57)【要約】【課題】直列に接続された複数の増幅器の各々の故障を適切に判定すること。【解決手段】無線装置は、複数の増幅器と、出力部と、測定部と、判定部とを有する。複数の増幅器は、直列に接続される。出力部は、複数の増幅器の各々に関してオンオフを切り替える複数の制御信号を、互いに異なる複数の出力タイミングにおいてそれぞれ出力する。測定部は、複数の増幅器のうち、最終段の増幅器から出力される信号の電力を測定する。判定部は、複数の出力タイミングの各々において測定部により測定された電力の変化量に基づいて、複数の増幅器の各々の故障を判定する。【選択図】図１
2017121002.tif 000002
【特許請求の範囲】
【請求項１】
直列に接続された複数の増幅器と、
前記複数の増幅器の各々に関してオンオフを切り替える複数の制御信号を、互いに異なる複数の出力タイミングにおいてそれぞれ出力する出力部と、
前記複数の増幅器のうち、最終段の増幅器から出力される信号の電力を測定する測定部と、
前記複数の出力タイミングの各々において前記測定部により測定された前記電力の変化量に基づいて、前記複数の増幅器の各々の故障を判定する判定部と
を有することを特徴とする無線装置。
【請求項２】
前記無線装置には、送信区間と受信区間とが時間的に分割される時分割多重方式が適用され、
前記出力部は、前記送信区間から前記受信区間への遷移区間に含まれる前記複数の出力タイミングにおいて、前記複数の増幅器の各々をオン状態からオフ状態に切り替える前記複数の制御信号をそれぞれ出力し、
前記判定部は、前記複数の出力タイミングの各々において前記測定部により測定された前記電力の変化量に基づいて、前記複数の増幅器の各々がオフ状態に切り替わらないことを示す故障を判定する
ことを特徴とする請求項１に記載の無線装置。
【請求項３】
前記出力部は、前記受信区間から前記送信区間への遷移区間に含まれる前記複数の出力タイミングにおいて、前記複数の増幅器の各々をオフ状態からオン状態に切り替える前記複数の制御信号をそれぞれ出力し、
前記判定部は、前記複数の出力タイミングの各々において前記測定部により測定された前記電力の変化量に基づいて、前記複数の増幅器の各々がオン状態に切り替わらないことを示す故障を判定する
ことを特徴とする請求項２に記載の無線装置。
【請求項４】
前記判定部は、さらに、前記複数の出力タイミングの各々において前記測定部により測定された前記電力の変化量に基づいて、前記故障の前兆を検出する
ことを特徴とする請求項１〜３のいずれか一つに記載の無線装置。
【請求項５】
前記出力部は、前記遷移区間が到来する度に、前記複数の増幅器のうち判定対象の増幅器のオンオフを切り替える制御信号を、前記判定対象の増幅器以外の増幅器のオンオフを切り替える制御信号の出力タイミングよりも遅い出力タイミングにおいて出力し、
前記判定部は、前記遷移区間が到来する度に、前記判定対象の増幅器を変更し、変更後の前記判定対象の増幅器に対応する前記出力タイミングにおいて前記測定部により測定された前記電力の変化量に基づいて、当該判定対象の増幅器の故障を判定する
ことを特徴とする請求項２に記載の無線装置。
【請求項６】
直列に接続された複数の増幅器の各々に関してオンオフを切り替える複数の制御信号を、互いに異なる複数の出力タイミングにおいてそれぞれ出力し、
前記複数の増幅器のうち、最終段の増幅器から出力される信号の電力を測定し、
前記複数の出力タイミングの各々において前記測定された前記電力の変化量に基づいて、前記複数の増幅器の各々の故障を判定する
ことを特徴とする故障判定方法。
【発明の詳細な説明】
【技術分野】
【０００１】
本発明は、無線装置及び故障判定方法に関する。
【背景技術】
【０００２】
従来、基地局等の通信装置に搭載される無線装置には、自己診断機能を備えたものがある。例えば、並列に接続された複数の増幅器を有する無線装置において、複数の増幅器の各々の出力電力を測定し、測定した出力電力を比較することで、複数の増幅器の各々の故障を判定する技術が知られている。
【先行技術文献】
【特許文献】
【０００３】
【特許文献１】特開平３−１９８５１４号公報
【発明の概要】
【発明が解決しようとする課題】
【０００４】
しかしながら、従来技術では、直列に接続された複数の増幅器の各々の故障を適切に判定することまでは考慮されていない。
【０００５】
開示の技術は、上記に鑑みてなされたものであって、直列に接続された複数の増幅器の各々の故障を適切に判定することができる無線装置及び故障判定方法を提供することを目的とする。
【課題を解決するための手段】
【０００６】
本願の開示する無線装置は、一つの態様において、複数の増幅器と、出力部と、測定部と、判定部とを有する。前記複数の増幅器は、直列に接続される。前記出力部は、前記複数の増幅器の各々に関してオンオフを切り替える複数の制御信号を、互いに異なる複数の出力タイミングにおいてそれぞれ出力する。前記測定部は、前記複数の増幅器のうち、最終段の増幅器から出力される信号の電力を測定する。前記判定部は、前記複数の出力タイミングの各々において前記測定部により測定された前記電力の変化量に基づいて、前記複数の増幅器の各々の故障を判定する。
【発明の効果】
【０００７】
本願の開示する無線装置の一つの態様によれば、直列に接続された複数の増幅器の各々の故障を適切に判定することができるという効果を奏する。
【図面の簡単な説明】
【０００８】
【図１】図１は、実施例１の無線装置の一例を示すブロック図である。
【図２】図２は、「送信区間」から「受信区間」への「遷移区間」の一例を示す図である。
【図３】図３は、実施例１の無線装置の処理動作の説明に供する図である。
【図４】図４は、実施例１の無線装置の処理動作の説明に供する図である。
【図５】図５は、実施例１の無線装置の処理動作の説明に供する図である。
【図６】図６は、実施例１の無線装置の処理動作の説明に供する図である。
【図７】図７は、実施例２の無線装置の一例を示すブロック図である。
【図８】図８は、実施例２の無線装置の処理動作の説明に供する図である。
【図９】図９は、実施例３の無線装置の一例を示すブロック図である。
【図１０】図１０は、実施例３の無線装置の処理動作の説明に供する図である。
【図１１】図１１は、実施例３の無線装置の処理動作の説明に供する図である。
【図１２】図１２は、無線装置のハードウェア構成例を示す図である。
【発明を実施するための形態】
【０００９】
以下に、本願の開示する無線装置及び故障判定方法の実施例を図面に基づいて詳細に説明する。なお、この実施例により開示技術が限定されるものではない。また、実施例において同一の機能を有する構成には同一の符号を付し、重複する説明は省略される。
【実施例１】
【００１０】
図１は、実施例１の無線装置の一例を示すブロック図である。図１において、無線装置１０は、制御信号出力部１１と、送信回路１２と、増幅器１３，１４と、カプラ１５と、電力測定部１６と、故障判定部１７と、歪補償係数算出部１８と、ルックアップテーブル（ＬＵＴ）１９と、乗算器２０とを有する。送信回路１２は、デジタルアナログ変換器（ＤＡＣ）２１と、直交変調器２２と、発振器２３と、増幅器２４，２５と、直交復調器２６と、アナログデジタル変換器（ＡＤＣ）２７とを有する。また、無線装置１０には、「送信区間」と「受信区間」とが時間的に分割される時分割多重（ＴＤＤ：Time  Division  Duplex）方式が適用される。
【００１１】
制御信号出力部１１は、故障判定部１７による制御に従って、増幅器１３，１４の各々に関してオンオフを切り替える複数の制御信号を、互いに異なる「複数の出力タイミング」においてそれぞれ増幅器１３，１４へ出力する。具体的には、制御信号出力部１１は、「送信区間」から「受信区間」への「遷移区間」に含まれる「複数の出力タイミング」において、増幅器１３，１４の各々をオン状態からオフ状態に切り替える２つの制御信号をそれぞれ出力する。３ＧＰＰ  ＬＴＥ（3rd  Generation  Partnership  Project  Long  Term  Evolution）等の通信規格では、「送信区間」から「受信区間」への「遷移区間」が規定されている。例えば、図２に示すように、３ＧＰＰ  ＬＴＥの通信規格では、「送信区間」から「受信区間」への「遷移区間」であるＴｒａｎｓｍｉｔｔｅｒ  ｔｒａｎｓｉｅｎｔ  ｐｅｒｉｏｄの時間長が、１７マイクロ秒以下の時間長であると定められている。なお、図２は、「送信区間」から「受信区間」への「遷移区間」の一例を示す図である。
【００１２】
また、制御信号出力部１１は、「送信区間」の開始タイミングにおいて、送信回路１２をオフ状態からオン状態に切り替える制御信号を送信回路１２へ出力する。
【００１３】
また、制御信号出力部１１は、「送信区間」の終了タイミングにおいて、送信回路１２をオン状態からオフ状態に切り替える制御信号を送信回路１２へ出力する。
【００１４】
ＤＡＣ２１は、「送信区間」では、乗算器２０から出力された送信信号の入力を受け、送信信号にデジタルアナログ変換を施し、得られたアナログ送信信号を直交変調器２２へ出力する。また、ＤＡＣ２１は、「送信区間」の終了タイミングにおいて、制御信号出力部１１からの制御信号に応じて、オン状態からオフ状態となる。
【００１５】
直交変調器２２は、「送信区間」では、発振器２３から出力されるローカル信号を用いて、ＤＡＣ２１から受け取ったアナログ送信信号に対して直交変調及びアップコンバートを行い、得られた無線送信信号を増幅器２４へ出力する。また、直交変調器２２は、「送信区間」の終了タイミングにおいて、制御信号出力部１１からの制御信号に応じて、オン状態からオフ状態となる。
【００１６】
増幅器２４は、「送信区間」では、直交変調器２２から出力された無線送信信号を増幅し、増幅後の無線送信信号を増幅器１３へ出力する。また、増幅器２４は、「送信区間」の終了タイミングにおいて、制御信号出力部１１からの制御信号に応じて、オン状態からオフ状態となる。
【００１７】
増幅器１３，１４は、直列に接続される。増幅器１３は、「送信区間」では、増幅器２４から出力された無線送信信号を増幅し、増幅後の無線送信信号を増幅器１４へ出力する。また、増幅器１３は、「送信区間」の終了タイミングにおいて送信回路１２（つまり、増幅器２４等）がオフ状態となった場合には、増幅器１３に発生する雑音信号を増幅し、増幅後の雑音信号を増幅器１４へ出力する。また、増幅器１３は、「送信区間」から「受信区間」への「遷移区間」において、制御信号出力部１１からの制御信号に応じて、オン状態からオフ状態となる。
【００１８】
増幅器１４は、「送信区間」では、増幅器２４から出力された無線送信信号を増幅し、増幅後の無線送信信号をカプラ１５へ出力する。また、増幅器１４は、「送信区間」の終了タイミングにおいて送信回路１２（つまり、増幅器２４等）がオフ状態となった場合には、増幅器１３から出力された雑音信号と増幅器１４に発生する雑音信号とを増幅し、得られた雑音信号をカプラ１５へ出力する。また、増幅器１４は、「送信区間」から「受信区間」への「遷移区間」において、制御信号出力部１１からの制御信号に応じて、オン状態からオフ状態となる。増幅器１４は、「最終段の増幅器」の一例に相当する。
【００１９】
カプラ１５は、増幅器１４から出力された無線送信信号又は雑音信号を、アンテナと、増幅器２５とに分配する。アンテナは、カプラ１５から入力される信号を送信する。
【００２０】
増幅器２５は、カプラ１５から受け取った信号を増幅し、増幅後の信号を直交復調器２６へ出力する。ここで、増幅器２５には、「送信区間」では、無線送信信号が入力され、「送信区間」から「受信区間」への「遷移区間」では、雑音信号が入力される。
【００２１】
直交復調器２６は、発振器２３から出力されるローカル信号を用いて、増幅器２５から受け取った信号に対してダウンコンバート及び直交復調を行い、得られた信号をＡＤＣ２７へ出力する。
【００２２】
ＡＤＣ２７は、直交復調器２６から出力された信号にアナログデジタル変換を施し、得られたデジタル信号を電力測定部１６及び歪補償係数算出部１８へ出力する。
【００２３】
電力測定部１６は、増幅器１４から出力される信号（つまり、無線送信信号又は雑音信号）の電力を測定する。すなわち、電力測定部１６は、増幅器１４から出力される信号を「フィードバック経路」を介して受け取り、受け取った信号の電力を測定する。ここで、「フィードバック経路」は、増幅器２５、直交復調器２６及びＡＤＣ２７を含む経路である。
【００２４】
故障判定部１７は、「送信区間」から「受信区間」への「遷移区間」に含まれる「複数の出力タイミング」の各々において電力測定部１６で測定される電力の「変化量」に基づいて、増幅器１３，１４の各々の故障を判定する。具体的には、故障判定部１７は、制御信号出力部１１を制御して、上記の「複数の出力タイミング」において、増幅器１３，１４の各々をオン状態からオフ状態に切り替える２つの制御信号をそれぞれ出力させる。例えば、故障判定部１７は、制御信号出力部１１を制御して、増幅器１３に対応する制御信号を「第１の出力タイミング」において出力し、増幅器１４に対応する制御信号を「第１の出力タイミング」よりも遅い「第２の出力タイミング」において出力させる。そして、故障判定部１７は、「複数の出力タイミング」の各々において電力測定部１６で測定される電力の「変化量」に基づいて、増幅器１３，１４の各々がオフ状態に切り替わらないことを示す故障を判定する。
【００２５】
ここで、電力測定部１６で測定される電力の「変化量」に基づく故障判定の一例を説明する。故障判定部１７は、「複数の出力タイミング」の各々の前の所定区間において電力測定部１６で測定された電力の値と、「複数の出力タイミング」の各々の後の所定区間において電力測定部１６で測定された電力の値との「差分」を上記の「変化量」として算出する。そして、故障判定部１７は、算出した「差分」の値が所定の閾値よりも小さい場合に、増幅器１３，１４の各々の故障が発生していると判定する。例えば、故障判定部１７は、上記の「第１の出力タイミング」の前の所定区間において測定された電力の値と、「第１の出力タイミング」の後の所定区間において測定された電力の値との差分が所定の閾値よりも小さい場合に、増幅器１３の故障が発生していると判定する。また、故障判定部１７は、上記の「第２の出力タイミング」の前の所定区間において測定された電力の値と、「第２の出力タイミング」の後の所定区間において測定された電力の値との差分が所定の閾値よりも小さい場合に、増幅器１４の故障が発生していると判定する。
【００２６】
次いで、電力測定部１６で測定される電力の「変化量」に基づく故障判定の他の一例を説明する。故障判定部１７は、「複数の出力タイミング」の各々の後の所定区間において電力測定部１６で測定された電力の値と、この所定区間において増幅器１４から出力されるべき信号の電力の値との「差分」を上記の「変化量」として算出する。そして、故障判定部１７は、算出した「差分」の値が所定の閾値よりも大きい場合に、増幅器１３，１４の各々の故障が発生していると判定する。例えば、故障判定部１７は、上記の「第１の出力タイミング」の後の所定区間において測定された電力の値と、この所定区間において増幅器１４から出力されるべき信号の電力の値との差分が所定の閾値よりも大きい場合に、増幅器１３の故障が発生していると判定する。なお、増幅器１４から出力されるべき信号の電力の値は、無線装置１０の製造時等に予め測定されたものであっても良い。
【００２７】
歪補償係数算出部１８は、「送信区間」において、送信信号と「フィードバック経路」からのフィードバック信号とＬＵＴ１９から乗算器２０に出力された歪補償係数とに基づいて、歪補償係数の更新値を算出する。そして、歪補償係数算出部１８は、算出した歪補償係数の更新値によってＬＵＴ１９を更新する。これにより、送信信号とフィードバック信号との差分が小さくなるように、歪補償係数が更新される。
【００２８】
ＬＵＴ１９は、送信信号の振幅値をアドレスとして歪補償係数をテーブルから読み出し、読み出した歪補償係数を乗算器２０及び歪補償係数算出部１８へ出力する。
【００２９】
乗算器２０は、送信信号とＬＵＴ１９からの歪補償係数とを乗算し、歪補償処理後の送信信号をＤＡＣ２１へ出力する。
【００３０】
［無線装置の動作例］
以上の構成を有する無線装置１０の処理動作の一例について説明する。図３〜図６は、実施例１の無線装置の処理動作の説明に供する図である。図３は、増幅器１３，１４の両方が故障していない場合の無線装置１０による故障判定方法の処理動作に関する。図４は、増幅器１３が故障した場合の無線装置１０による故障判定方法の処理動作に関する。図５は、増幅器１４が故障した場合の無線装置１０による故障判定方法の処理動作に関する。図６は、増幅器１３，１４の両方が故障した場合の無線装置１０による故障判定方法の処理動作に関する。
【００３１】
まず、図３を用いて、増幅器１３，１４の両方が故障していない場合の処理動作について説明する。図３の最上段に示すように、送信区間、遷移区間、受信区間の順番で、区間が切り替えられるものとする。
【００３２】
図３の上から２段目に示すように、送信区間が終了すると、制御信号出力部１１は、送信回路１２をオン状態からオフ状態に切り替える制御信号を出力する。これにより、送信回路１２がオフ状態となり、送信回路１２（つまり、増幅器２４）からの無線送信信号の出力が停止される。
【００３３】
そして、送信回路１２からの無線送信信号の出力の停止に伴って、送信回路１２、増幅器１３及び増幅器１４から出力される信号の電力が、図３の上から５段目〜７段目に示すように、それぞれ、減少する。
【００３４】
また、制御信号出力部１１は、図３の上から３段目に示すように、送信区間の終了タイミングよりも遅い「第１の出力タイミング」において、故障判定部１７による制御に従って、増幅器１３をオン状態からオフ状態に切り替える制御信号を出力する。増幅器１３は故障していないため、この制御信号によって増幅器１３がオフ状態となり、増幅器１３からの雑音信号の出力が停止される。
【００３５】
そして、増幅器１３からの雑音信号の出力の停止に伴って、増幅器１３及び増幅器１４から出力される信号の電力が、図３の上から６段目及び７段目に示すように、それぞれ、減少する。増幅器１４から出力される信号の電力は、電力測定部１６によって測定される。故障判定部１７は、上記の「第１の出力タイミング」の前の区間Ａにおいて電力測定部１６で測定された電力の値と、「第１の出力タイミング」の後の区間Ｂにおいて電力測定部１６で測定された電力の値との「差分」を算出する。この「差分」は、増幅器１３が正常にオフ状態となっているので、所定の閾値よりも大きくなる。そして、故障判定部１７は、算出した「差分」の値が所定の閾値よりも大きいので、増幅器１３の故障が発生していないと判定する。
【００３６】
また、制御信号出力部１１は、図３の上から４段目に示すように、「第１の出力タイミング」よりも遅い「第２の出力タイミング」において、故障判定部１７による制御に従って、増幅器１４をオン状態からオフ状態に切り替える制御信号を出力する。増幅器１４は故障していないため、この制御信号によって増幅器１４がオフ状態に切り替わり、増幅器１４からの雑音信号の出力が停止される。
【００３７】
そして、増幅器１４からの雑音信号の出力の停止に伴って、増幅器１４から出力される信号の電力が、図３の上から７段目に示すように、減少する。増幅器１４から出力される信号の電力は、電力測定部１６によって測定される。故障判定部１７は、上記の「第２の出力タイミング」の前の区間Ｂにおいて電力測定部１６で測定された電力の値と、「第２の出力タイミング」の後の区間Ｃにおいて電力測定部１６で測定された電力の値との「差分」を算出する。この「差分」は、増幅器１４が正常にオフ状態となっているので、所定の閾値よりも大きくなる。そして、故障判定部１７は、算出した「差分」の値が所定の閾値よりも大きいので、増幅器１４の故障が発生していないと判定する。
【００３８】
次に、図４を用いて、増幅器１３が故障した場合の処理動作について説明する。図４の最上段に示すように、送信区間、遷移区間、受信区間の順番で、区間が切り替えられるものとする。
【００３９】
図４の上から２段目に示すように、送信区間が終了すると、制御信号出力部１１は、送信回路１２をオン状態からオフ状態に切り替える制御信号を出力する。これにより、送信回路１２がオフ状態に切り替わり、送信回路１２（つまり、増幅器２４）からの無線送信信号の出力が停止される。
【００４０】
そして、送信回路１２からの無線送信信号の出力の停止に伴って、送信回路１２、増幅器１３及び増幅器１４から出力される信号の電力が、図４の上から５段目〜７段目に示すように、それぞれ、減少する。
【００４１】
また、制御信号出力部１１は、図４の上から３段目に示すように、送信区間の終了タイミングよりも遅い「第１の出力タイミング」において、故障判定部１７による制御に従って、増幅器１３をオン状態からオフ状態に切り替える制御信号を出力する。増幅器１３は故障しているため、この制御信号によって増幅器１３がオフ状態に切り替わらず、増幅器１３からの雑音信号の出力が停止されない。
【００４２】
すると、増幅器１３及び増幅器１４から出力される信号の電力が、図４の上から６段目及び７段目に示すように、それぞれ、減少しない。増幅器１４から出力される信号の電力は、電力測定部１６によって測定される。故障判定部１７は、上記の「第１の出力タイミング」の前の区間Ａにおいて電力測定部１６で測定された電力の値と、「第１の出力タイミング」の後の区間Ｂにおいて電力測定部１６で測定された電力の値との「差分」を算出する。この「差分」は、増幅器１３がオン状態であるので、所定の閾値よりも小さくなる。そして、故障判定部１７は、算出した「差分」の値が所定の閾値よりも小さいので、増幅器１３の故障が発生していると判定する。
【００４３】
また、制御信号出力部１１は、図４の上から４段目に示すように、「第１の出力タイミング」よりも遅い「第２の出力タイミング」において、故障判定部１７による制御に従って、増幅器１４をオン状態からオフ状態に切り替える制御信号を出力する。増幅器１４は故障していないため、この制御信号によって増幅器１４がオフ状態に切り替わり、増幅器１４からの雑音信号の出力が停止される。
【００４４】
そして、増幅器１４からの雑音信号の出力の停止に伴って、増幅器１４から出力される信号の電力が、図４の上から７段目に示すように、減少する。増幅器１４から出力される信号の電力は、電力測定部１６によって測定される。故障判定部１７は、上記の「第２の出力タイミング」の前の区間Ｂにおいて電力測定部１６で測定された電力の値と、「第２の出力タイミング」の後の区間Ｃにおいて電力測定部１６で測定された電力の値との「差分」を算出する。この「差分」は、増幅器１４が正常にオフ状態となっているので、所定の閾値よりも大きくなる。そして、故障判定部１７は、算出した「差分」の値が所定の閾値よりも大きいので、増幅器１４の故障が発生していないと判定する。
【００４５】
次に、図５を用いて、増幅器１４が故障した場合の処理動作について説明する。図５の最上段に示すように、送信区間、遷移区間、受信区間の順番で、区間が切り替えられるものとする。
【００４６】
図５の上から２段目に示すように、送信区間が終了すると、制御信号出力部１１は、送信回路１２をオン状態からオフ状態に切り替える制御信号を出力する。これにより、送信回路１２がオフ状態に切り替わり、送信回路１２（つまり、増幅器２４）からの無線送信信号の出力が停止される。
【００４７】
そして、送信回路１２からの無線送信信号の出力の停止に伴って、送信回路１２、増幅器１３及び増幅器１４から出力される信号の電力が、図５の上から５段目〜７段目に示すように、それぞれ、減少する。
【００４８】
また、制御信号出力部１１は、図５の上から３段目に示すように、送信区間の終了タイミングよりも遅い「第１の出力タイミング」において、故障判定部１７による制御に従って、増幅器１３をオン状態からオフ状態に切り替える制御信号を出力する。増幅器１３は故障していないため、この制御信号によって増幅器１３がオフ状態に切り替わり、増幅器１３からの雑音信号の出力が停止される。
【００４９】
そして、増幅器１３からの雑音信号の出力の停止に伴って、増幅器１３及び増幅器１４から出力される信号の電力が、図５の上から６段目及び７段目に示すように、それぞれ、減少する。増幅器１４から出力される信号の電力は、電力測定部１６によって測定される。故障判定部１７は、上記の「第１の出力タイミング」の前の区間Ａにおいて電力測定部１６で測定された電力の値と、「第１の出力タイミング」の後の区間Ｂにおいて電力測定部１６で測定された電力の値との「差分」を算出する。この「差分」は、増幅器１３が正常にオフ状態となっているで、所定の閾値よりも大きくなる。そして、故障判定部１７は、算出した「差分」の値が所定の閾値よりも大きいので、増幅器１３の故障が発生していないと判定する。
【００５０】
また、制御信号出力部１１は、図５の上から４段目に示すように、「第１の出力タイミング」よりも遅い「第２の出力タイミング」において、故障判定部１７による制御に従って、増幅器１４をオン状態からオフ状態に切り替える制御信号を出力する。増幅器１４は故障しているため、この制御信号によって増幅器１４がオフ状態に切り替わらず、増幅器１４からの雑音信号の出力が停止されない。
【００５１】
すると、増幅器１４から出力される信号の電力が、図５の上から７段目に示すように、減少しない。増幅器１４から出力される信号の電力は、電力測定部１６によって測定される。故障判定部１７は、上記の「第２の出力タイミング」の前の区間Ｂにおいて電力測定部１６で測定された電力の値と、「第２の出力タイミング」の後の区間Ｃにおいて電力測定部１６で測定された電力の値との「差分」を算出する。この「差分」は、増幅器１４がオン状態であるので、所定の閾値よりも小さくなる。そして、故障判定部１７は、算出した「差分」の値が所定の閾値よりも小さいので、増幅器１４の故障が発生していると判定する。
【００５２】
次に、図６を用いて、増幅器１３，１４の両方が故障した場合の処理動作について説明する。図６の最上段に示すように、送信区間、遷移区間、受信区間の順番で、区間が切り替えられるものとする。
【００５３】
図６の上から２段目に示すように、送信区間が終了すると、制御信号出力部１１は、故障判定部１７による制御に従って、送信回路１２をオン状態からオフ状態に切り替える制御信号を出力する。これにより、送信回路１２がオフ状態に切り替わり、送信回路１２（つまり、増幅器２４）からの無線送信信号の出力が停止される。
【００５４】
そして、送信回路１２からの無線送信信号の出力の停止に伴って、送信回路１２、増幅器１３及び増幅器１４から出力される信号の電力が、図６の上から５段目〜７段目に示すように、それぞれ、減少する。
【００５５】
また、制御信号出力部１１は、図６の上から３段目に示すように、送信区間の終了タイミングよりも遅い「第１の出力タイミング」において、故障判定部１７による制御に従って、増幅器１３をオン状態からオフ状態に切り替える制御信号を出力する。増幅器１３は故障しているため、この制御信号によって増幅器１３がオフ状態に切り替わらず、増幅器１３からの雑音信号の出力が停止されない。
【００５６】
すると、増幅器１３及び増幅器１４から出力される信号の電力が、図６の上から６段目及び７段目に示すように、それぞれ、減少しない。増幅器１４から出力される信号の電力は、電力測定部１６によって測定される。故障判定部１７は、上記の「第１の出力タイミング」の前の区間Ａにおいて電力測定部１６で測定された電力の値と、「第１の出力タイミング」の後の区間Ｂにおいて電力測定部１６で測定された電力の値との「差分」を算出する。この「差分」は、増幅器１３がオン状態であるので、所定の閾値よりも小さくなる。そして、故障判定部１７は、算出した「差分」の値が所定の閾値よりも小さいので、増幅器１３の故障が発生していると判定する。
【００５７】
また、制御信号出力部１１は、図６の上から４段目に示すように、「第１の出力タイミング」よりも遅い「第２の出力タイミング」において、故障判定部１７による制御に従って、増幅器１４をオン状態からオフ状態に切り替える制御信号を出力する。増幅器１４は故障しているため、この制御信号によって増幅器１４がオフ状態に切り替わらず、増幅器１４からの雑音信号の出力が停止されない。
【００５８】
すると、増幅器１４から出力される信号の電力が、図６の上から７段目に示すように、減少しない。増幅器１４から出力される信号の電力は、電力測定部１６によって測定される。故障判定部１７は、上記の「第２の出力タイミング」の前の区間Ｂにおいて電力測定部１６で測定された電力の値と、「第２の出力タイミング」の後の区間Ｃにおいて電力測定部１６で測定された電力の値との「差分」を算出する。この「差分」は、増幅器１４がオン状態であるので、所定の閾値よりも小さくなる。そして、故障判定部１７は、算出した「差分」の値が所定の閾値よりも小さいので、増幅器１４の故障が発生していると判定する。
【００５９】
以上のように本実施例によれば、無線装置１０において、制御信号出力部１１は、直列かつ多段に接続された増幅器１３，１４の各々に関してオンオフを切り替える複数の制御信号を、互いに異なる複数の出力タイミングにおいてそれぞれ出力する。電力測定部１６は、増幅器１３，１４のうち、最終段の増幅器である増幅器１４から出力される信号の電力を測定する。そして、故障判定部１７は、複数の出力タイミングの各々において電力測定部１６で測定された電力の変化量に基づいて、増幅器１３，１４の各々の故障を判定する。
【００６０】
この無線装置１０の構成により、直列かつ多段に接続された増幅器１３，１４の各々の故障を適切に判定することができる。
【００６１】
また、無線装置１０には、送信区間と受信区間とが時間的に分割されるＴＤＤ方式が適用される。そして、無線装置１０において、制御信号出力部１１は、送信区間から受信区間への遷移区間に含まれる複数の出力タイミングにおいて、増幅器１３，１４の各々をオン状態からオフ状態に切り替える複数の制御信号をそれぞれ出力する。そして、故障判定部１７は、複数の出力タイミングの各々において電力測定部１６で測定された電力の変化量に基づいて、増幅器１３，１４の各々がオフ状態に切り替わらないことを示す故障を判定する。
【００６２】
この無線装置１０の構成により、直列かつ多段に接続された増幅器１３，１４の各々がオフ状態に切り替わらないことを示す故障を適切に判定することができる。
【実施例２】
【００６３】
実施例２では、受信区間から送信区間に含まれる遷移区間において、増幅器１３，１４の各々がオン状態に切り替わらないことを示す故障を判定する。
【００６４】
図７は、実施例２の無線装置の一例を示すブロック図である。図７において、無線装置３０は、制御信号出力部３１と、故障判定部３７とを有する。
【００６５】
制御信号出力部３１は、実施例１と同様に、「送信区間」から「受信区間」への「遷移区間」に含まれる「複数の出力タイミング」において、増幅器１３，１４の各々をオン状態からオフ状態に切り替える２つの制御信号をそれぞれ出力する。また、制御信号出力部３１は、実施例１と同様に、「送信区間」の開始タイミングにおいて、送信回路１２をオフ状態からオン状態に切り替える制御信号を送信回路１２へ出力する。また、制御信号出力部３１は、実施例１と同様に、「送信区間」の終了タイミングにおいて、送信回路１２をオン状態からオフ状態に切り替える制御信号を送信回路１２へ出力する。
【００６６】
さらに、制御信号出力部３１は、「受信区間」から「送信区間」への「遷移区間」に含まれる「複数の出力タイミング」において、増幅器１３，１４の各々をオフ状態からオン状態に切り替える２つの制御信号をそれぞれ出力する。
【００６７】
故障判定部３７は、実施例１と同様に、「送信区間」から「受信区間」への「遷移区間」に含まれる「複数の出力タイミング」の各々において電力測定部１６で測定される電力の「変化量」に基づいて、増幅器１３，１４の各々がオフ状態に切り替わらないことを示す故障を判定する。
【００６８】
さらに、故障判定部３７は、「受信区間」から「送信区間」への「遷移区間」に含まれる「複数の出力タイミング」の各々において電力測定部１６で測定される電力の「変化量」に基づいて、増幅器１３，１４の各々の故障を判定する。以下では、「受信区間」から「送信区間」への「遷移区間」に含まれる「複数の出力タイミング」を、「複数の出力タイミング」と呼ぶ。具体的には、故障判定部３７は、制御信号出力部３１を制御して、上記の「複数の出力タイミング」において、増幅器１３，１４の各々をオフ状態からオン状態に切り替える２つの制御信号をそれぞれ出力させる。例えば、故障判定部３７は、制御信号出力部１１を制御して、増幅器１４に対応する制御信号を「第１の出力タイミング」において出力させ、増幅器１３に対応する制御信号を「第１の出力タイミング」よりも遅い「第２の出力タイミング」において出力させる。そして、故障判定部３７は、「複数の出力タイミング」の各々において電力測定部１６で測定される電力の「変化量」に基づいて、増幅器１３，１４の各々がオン状態に切り替わらないことを示す故障を判定する。
【００６９】
ここで、電力測定部１６で測定される電力の「変化量」に基づく故障判定の一例を説明する。故障判定部３７は、「複数の出力タイミング」の各々の前の所定区間において電力測定部１６で測定された電力の値と、「複数の出力タイミング」の各々の後の所定区間において電力測定部１６で測定された電力の値との「差分」を上記の「変化量」として算出する。そして、故障判定部３７は、算出した「差分」の値が所定の閾値よりも小さい場合に、増幅器１３，１４の各々の故障が発生していると判定する。例えば、故障判定部３７は、上記の「第１の出力タイミング」の前の所定区間において測定された電力の値と、「第１の出力タイミング」の後の所定区間において測定された電力の値との差分が所定の閾値よりも小さい場合に、増幅器１４の故障が発生していると判定する。また、故障判定部３７は、上記の「第２の出力タイミング」の前の所定区間において測定された電力の値と、「第２の出力タイミング」の後の所定区間において測定された電力の値との差分が所定の閾値よりも小さい場合に、増幅器１３の故障が発生していると判定する。
【００７０】
次いで、電力測定部１６で測定される電力の「変化量」に基づく故障判定の他の一例を説明する。故障判定部３７は、「複数の出力タイミング」の各々の後の所定区間において電力測定部１６で測定された電力の値と、この所定区間において増幅器１４から出力されるべき信号の電力の値との「差分」を上記の「変化量」として算出する。そして、故障判定部３７は、算出した「差分」の値が所定の閾値よりも大きい場合に、増幅器１３，１４の各々の故障が発生していると判定する。例えば、故障判定部３７は、上記の「第１の出力タイミング」の後の所定区間において測定された電力の値と、この所定区間において増幅器１４から出力されるべき信号の電力の値との差分が所定の閾値よりも大きい場合に、増幅器１４の故障が発生していると判定する。なお、増幅器１４から出力されるべき信号の電力の値は、無線装置３０の製造時等に予め測定されたものであっても良い。
【００７１】
［無線装置の動作例］
以上の構成を有する無線装置３０の処理動作の一例について説明する。図８は、実施例２の無線装置の処理動作の説明に供する図である。図８は、増幅器１３，１４の両方が故障していない場合の無線装置３０による故障判定方法の処理動作に関する。
【００７２】
図８の最上段に示すように、受信区間、遷移区間、送信区間の順番で、区間が切り替えられるものとする。
【００７３】
制御信号出力部３１は、図８の上から４段目に示すように、受信区間の終了タイミングよりも遅い「第１の出力タイミング」において、故障判定部３７による制御に従って、増幅器１４をオフ状態からオン状態に切り替える制御信号を出力する。増幅器１４は故障していないため、この制御信号によって増幅器１４がオン状態となり、増幅器１４からの雑音信号の出力が開始される。
【００７４】
そして、増幅器１４からの雑音信号の出力の開始に伴って、増幅器１４から出力される信号の電力が、図８の上から７段目に示すように、増加する。増幅器１４から出力される信号の電力は、電力測定部１６によって測定される。故障判定部３７は、上記の「第１の出力タイミング」の前の区間Ａにおいて電力測定部１６で測定された電力の値と、「第１の出力タイミング」の後の区間Ｂにおいて電力測定部１６で測定された電力の値との「差分」を算出する。この「差分」は、増幅器１４が正常にオン状態となっているので、所定の閾値よりも大きくなる。そして、故障判定部３７は、算出した「差分」の値が所定の閾値よりも大きいので、増幅器１４の故障が発生していないと判定する。
【００７５】
また、制御信号出力部３１は、図８の上から３段目に示すように、「第１の出力タイミング」よりも遅い「第２の出力タイミング」において、故障判定部３７による制御に従って、増幅器１３をオフ状態からオン状態に切り替える制御信号を出力する。増幅器１３は故障していないため、この制御信号によって増幅器１３がオン状態となり、増幅器１３からの雑音信号の出力が開始される。
【００７６】
そして、増幅器１３からの雑音信号の出力の開始に伴って、増幅器１３及び増幅器１４から出力される信号の電力が、図８の上から６段目及び７段目に示すように、増加する。増幅器１４から出力される信号の電力は、電力測定部１６によって測定される。故障判定部３７は、上記の「第２の出力タイミング」の前の区間Ｂにおいて電力測定部１６で測定された電力の値と、「第２の出力タイミング」の後の区間Ｃにおいて電力測定部１６で測定された電力の値との「差分」を算出する。この「差分」は、増幅器１３が正常にオン状態となっているので、所定の閾値よりも大きくなる。そして、故障判定部３７は、算出した「差分」の値が所定の閾値よりも大きいので、増幅器１３の故障が発生していないと判定する。
【００７７】
以上のように本実施例によれば、無線装置３０において、制御信号出力部３１は、受信区間から送信区間への遷移区間に含まれる複数の出力タイミングにおいて、増幅器１３，１４の各々をオフ状態からオン状態に切り替える複数の制御信号をそれぞれ出力する。そして、故障判定部３７は、複数の出力タイミングの各々において電力測定部１６で測定された電力の変化量に基づいて、増幅器１３，１４の各々がオン状態に切り替わらないことを示す故障を判定する。
【００７８】
この無線装置３０の構成により、直列に接続された増幅器１３，１４の各々がオン状態に切り替わらないことを示す故障を適切に判定することができる。
【実施例３】
【００７９】
実施例３では、遷移区間が到来する度に、判定対象の増幅器を変更しつつ、変更後の判定対象の増幅器に固有の出力タイミングにおいてオンオフを切り替える制御信号を出力し、判定対象の増幅器の故障を判定する。
【００８０】
図９は、実施例３の無線装置の一例を示すブロック図である。図９において、無線装置５０は、制御信号出力部５１と、故障判定部５７とを有する。
【００８１】
制御信号出力部５１は、「遷移区間」が到来する度に、増幅器１３，１４のうち「判定対象の増幅器」のオンオフを切り替える制御信号を、「判定対象の増幅器」以外の増幅器のオンオフを切り替える制御信号の出力タイミングより遅いタイミングにおいて出力する。本実施例では、「遷移区間」は、「送信区間」から「受信区間」への「遷移区間」であるものとする。「遷移区間」は、「受信区間」から「送信区間」への「遷移区間」であっても良い。
【００８２】
故障判定部５７は、「遷移区間」が到来する度に、「判定対象の増幅器」を変更し、変更後の「判定対象の増幅器」に対応する出力タイミングにおいて電力測定部１６で測定された電力の「変化量」に基づいて、「判定対象の増幅器」の故障を判定する。例えば、故障判定部５７は、１回目の「遷移区間」が到来した場合に、増幅器１３を「判定対象の増幅器」に設定する。そして、故障判定部５７は、制御信号出力部５１を制御して、増幅器１３をオン状態からオフ状態に切り替える制御信号を、増幅器１４に対応する制御信号の出力タイミングよりも遅い出力タイミングにおいて出力させる。そして、故障判定部５７は、増幅器１３に対応する出力タイミングにおいて電力測定部１６で測定された電力の「変化量」に基づいて、増幅器１３がオフ状態に切り替わらないことを示す故障を判定する。故障判定部５７は、２回目の「遷移区間」が到来した場合に、「判定対象の増幅器」を増幅器１４に変更する。そして、故障判定部５７は、制御信号出力部５１を制御して、増幅器１４をオン状態からオフ状態に切り替える制御信号を、増幅器１３に対応する制御信号の出力タイミングよりも遅い出力タイミングにおいて出力させる。そして、故障判定部５７は、増幅器１４に対応する出力タイミングにおいて電力測定部１６で測定された電力の「変化量」に基づいて、増幅器１４がオフ状態に切り替わらないことを示す故障を判定する。
【００８３】
ここで、電力測定部１６で測定される電力の「変化量」に基づく故障判定の一例を説明する。以下では、増幅器１３が「判定対象の増幅器」であるものとする。また、以下では、増幅器１３に対応する出力タイミングを、「判定対象タイミング」と呼ぶ。故障判定部５７は、「判定対象タイミング」の前の所定区間において電力測定部１６で測定された電力の値と、「判定対象タイミング」の後の所定区間において電力測定部１６で測定された電力の値との「差分」を上記の「変化量」として算出する。そして、故障判定部５７は、算出した「差分」の値が所定の閾値よりも小さい場合に、増幅器の故障が発生していると判定する。
【００８４】
次いで、電力測定部１６で測定される電力の「変化量」に基づく故障判定の他の一例を説明する。以下では、増幅器１３が「判定対象の増幅器」であるものとする。故障判定部５７は、「判定対象タイミング」の後の所定区間において電力測定部１６で測定された電力の値と、この所定区間において増幅器１４から出力されるべき信号の電力の値との「差分」を上記の「変化量」として算出する。そして、故障判定部５７は、算出した「差分」の値が所定の閾値よりも大きい場合に、増幅器１３の故障が発生していると判定する。なお、増幅器１４から出力されるべき信号の電力の値は、無線装置５０の製造時等に予め測定されたものであっても良い。
【００８５】
［無線装置の動作例］
以上の構成を有する無線装置５０の処理動作の一例について説明する。図１０及び図１１は、実施例３の無線装置の処理動作の説明に供する図である。図１０は、増幅器１３，１４の両方が故障していない場合の無線装置５０による故障判定方法の処理動作に関する。図１１は、増幅器１３が故障した場合の無線装置５０による故障判定方法の処理動作に関する。
【００８６】
まず、図１０を用いて、増幅器１３，１４の両方が故障していない場合の処理動作について説明する。図１０の最上段に示すように、送信区間、遷移区間、受信区間、送信区間、遷移区間、受信区間の順番で、区間が切り替えられるものとする。
【００８７】
図１０の上から２段目に示すように、送信区間が終了すると、制御信号出力部５１は、送信回路１２をオン状態からオフ状態に切り替える制御信号を出力する。これにより、送信回路１２がオフ状態となり、送信回路１２（つまり、増幅器２４）からの無線送信信号の出力が停止される。
【００８８】
また、故障判定部５７は、送信区間から受信区間への１回目の「遷移区間」が到来すると、増幅器１３を「判定対象の増幅器」に設定する。制御信号出力部５１は、図１０の上から４段目に示すように、送信区間の終了タイミング（つまり、１回目の「遷移区間」の開始タイミング）において、故障判定部５７による制御に従って、増幅器１４をオン状態からオフ状態に切り替える制御信号を出力する。増幅器１４は故障していないため、この制御信号によって増幅器１４がオフ状態となり、増幅器１４からの雑音信号の出力が停止される。
【００８９】
そして、送信回路１２からの無線送信信号及び増幅器１４からの雑音信号の出力の停止に伴って、送信回路１２、増幅器１３及び増幅器１４から出力される信号の電力が、図１０の上から５段目〜７段目に示すように、それぞれ、減少する。
【００９０】
また、制御信号出力部５１は、図１０の上から３段目に示すように、故障判定部５７による制御に従って、増幅器１３をオン状態からオフ状態に切り替える制御信号を、増幅器１４に対応する制御信号の出力タイミングよりも遅い出力タイミングにおいて出力する。以下では、増幅器１３に対応する出力タイミングを、「判定対象タイミング」と呼ぶ。増幅器１３は故障していないため、増幅器１３に対応する制御信号によって増幅器１３がオフ状態となり、増幅器１３からの雑音信号の出力が停止される。
【００９１】
そして、増幅器１３からの雑音信号の出力の停止に伴って、増幅器１３及び増幅器１４から出力される信号の電力が、図１０の上から６段目及び７段目に示すように、それぞれ、減少する。増幅器１４から出力される信号の電力は、電力測定部１６によって測定される。故障判定部５７は、上記の「判定対象タイミング」の前の区間Ａにおいて電力測定部１６で測定された電力の値と、「判定対象タイミング」の後の区間Ｂにおいて電力測定部１６で測定された電力の値との「差分」を算出する。この「差分」は、増幅器１３が正常にオフ状態となっているので、所定の閾値よりも大きくなる。そして、故障判定部５７は、算出した「差分」の値が所定の閾値よりも大きいので、増幅器１３の故障が発生していないと判定する。
【００９２】
また、故障判定部５７は、送信区間から受信区間への２回目の「遷移区間」が到来すると、「判定対象の増幅器」を増幅器１３から増幅器１４へ切り替える。制御信号出力部５１は、図１０の上から３段目に示すように、送信区間の終了タイミング（つまり、２回目の「遷移区間」の開始タイミング）において、故障判定部５７による制御に従って、増幅器１３をオン状態からオフ状態に切り替える制御信号を出力する。増幅器１３は故障していないため、この制御信号によって増幅器１３がオフ状態となり、増幅器１３からの雑音信号の出力が停止される。
【００９３】
そして、送信回路１２からの無線送信信号及び増幅器１３からの雑音信号の出力の停止に伴って、送信回路１２、増幅器１３及び増幅器１４から出力される信号の電力が、図１０の上から５段目〜７段目に示すように、それぞれ、減少する。
【００９４】
また、制御信号出力部５１は、図１０の上から増幅器１４をオン状態からオフ状態に切り替える制御信号を、増幅器１３に対応する制御信号の出力タイミングよりも遅い出力タイミングにおいて出力する。以下では、増幅器１４に対応する出力タイミングを、「判定対象タイミング」と呼ぶ。増幅器１４は故障していないため、増幅器１４に対応する制御信号によって増幅器１４がオフ状態となり、増幅器１４からの雑音信号の出力が停止される。
【００９５】
そして、増幅器１４からの雑音信号の出力の停止に伴って、増幅器１４から出力される信号の電力が、図１０の上から７段目に示すように、減少する。増幅器１４から出力される信号の電力は、電力測定部１６によって測定される。故障判定部５７は、上記の「判定対象タイミング」の前の区間Ｃにおいて電力測定部１６で測定された電力の値と、「判定対象タイミング」の後の区間Ｄにおいて電力測定部１６で測定された電力の値との「差分」を算出する。この「差分」は、増幅器１４が正常にオフ状態となっているので、所定の閾値よりも大きくなる。そして、故障判定部５７は、算出した「差分」の値が所定の閾値よりも大きいので、増幅器１４の故障が発生していないと判定する。
【００９６】
次に、図１１を用いて、増幅器１３が故障した場合の処理動作について説明する。図１１の最上段に示すように、送信区間、遷移区間、受信区間、送信区間、遷移区間、受信区間の順番で、区間が切り替えられるものとする。
【００９７】
図１１の上から２段目に示すように、送信区間が終了すると、制御信号出力部５１は、送信回路１２をオン状態からオフ状態に切り替える制御信号を出力する。これにより、送信回路１２がオフ状態となり、送信回路１２（つまり、増幅器２４）からの無線送信信号の出力が停止される。
【００９８】
また、故障判定部５７は、送信区間から受信区間への１回目の「遷移区間」が到来すると、増幅器１３を「判定対象の増幅器」に設定する。制御信号出力部５１は、図１１の上から４段目に示すように、送信区間の終了タイミング（つまり、１回目の「遷移区間」の開始タイミング）において、故障判定部５７による制御に従って、増幅器１４をオン状態からオフ状態に切り替える制御信号を出力する。増幅器１４は故障していないため、この制御信号によって増幅器１４がオフ状態となり、増幅器１４からの雑音信号の出力が停止される。
【００９９】
そして、送信回路１２からの無線送信信号及び増幅器１４からの雑音信号の出力の停止に伴って、送信回路１２、増幅器１３及び増幅器１４から出力される信号の電力が、図１１の上から５段目〜７段目に示すように、それぞれ、減少する。
【０１００】
また、制御信号出力部５１は、図１１の上から３段目に示すように、故障判定部５７による制御に従って、増幅器１３をオン状態からオフ状態に切り替える制御信号を、増幅器１４に対応する制御信号の出力タイミングよりも遅い出力タイミングにおいて出力する。以下では、増幅器１３に対応する出力タイミングを、「判定対象タイミング」と呼ぶ。増幅器１３は故障しているため、増幅器１３に対応する制御信号によって増幅器１３がオフ状態に切り替わらず、増幅器１３からの雑音信号の出力が停止されない。
【０１０１】
すると、増幅器１３及び増幅器１４から出力される信号の電力が、図１１の上から６段目及び７段目に示すように、それぞれ、減少しない。増幅器１４から出力される信号の電力は、電力測定部１６によって測定される。故障判定部５７は、上記の「判定対象タイミング」の前の区間Ａにおいて電力測定部１６で測定された電力の値と、「判定対象タイミング」の後の区間Ｂにおいて電力測定部１６で測定された電力の値との「差分」を算出する。この「差分」は、増幅器１３がオン状態であるので、所定の閾値よりも小さくなる。そして、故障判定部５７は、算出した「差分」の値が所定の閾値よりも小さいので、増幅器１３の故障が発生していると判定する。
【０１０２】
また、故障判定部５７は、送信区間から受信区間への２回目の「遷移区間」が到来すると、「判定対象の増幅器」を増幅器１３から増幅器１４へ切り替える。制御信号出力部５１は、図１１の上から３段目に示すように、送信区間の終了タイミング（つまり、２回目の「遷移区間」の開始タイミング）において、故障判定部５７による制御に従って、増幅器１３をオン状態からオフ状態に切り替える制御信号を出力する。増幅器１３は故障しているため、この制御信号によって増幅器１３がオフ状態に切り替わらず、増幅器１３からの雑音信号の出力が停止されない。
【０１０３】
そして、送信回路１２からの無線送信信号の出力の停止に伴って、送信回路１２、増幅器１３及び増幅器１４から出力される信号の電力が、図１１の上から５段目〜７段目に示すように、それぞれ、減少する。
【０１０４】
また、制御信号出力部５１は、図１１の上から４段目に示すように、増幅器１４をオン状態からオフ状態に切り替える制御信号を、増幅器１３に対応する制御信号の出力タイミングよりも遅い出力タイミングにおいて出力する。以下では、増幅器１４に対応する出力タイミングを、「判定対象タイミング」と呼ぶ。増幅器１４は故障していないため、増幅器１４に対応する制御信号によって増幅器１４がオフ状態となり、増幅器１４からの雑音信号の出力が停止される。
【０１０５】
そして、増幅器１４からの雑音信号の出力の停止に伴って、増幅器１４から出力される信号の電力が、図１１の上から７段目に示すように、減少する。増幅器１４から出力される信号の電力は、電力測定部１６によって測定される。故障判定部５７は、上記の「判定対象タイミング」の前の区間Ｃにおいて電力測定部１６で測定された電力の値と、「判定対象タイミング」の後の区間Ｄにおいて電力測定部１６で測定された電力の値との「差分」を算出する。この「差分」は、増幅器１４が正常にオフ状態となっているので、所定の閾値よりも大きくなる。そして、故障判定部５７は、算出した「差分」の値が所定の閾値よりも大きいので、増幅器１４の故障が発生していないと判定する。
【０１０６】
以上のように本実施例によれば、無線装置５０において、制御信号出力部５１は、遷移区間が到来する度に、判定対象の増幅器のオンオフを切り替える制御信号を、他の増幅器の制御信号の出力タイミングよりも遅い出力タイミングにおいて出力する。故障判定部５７は、遷移区間が到来する度に、判定対象の増幅器を変更し、変更後の判定対象の増幅器に対応する出力タイミングにおいて電力測定部１６で測定された電力の変化量に基づいて、判定対象の増幅器の故障を判定する。
【０１０７】
この無線装置５０の構成により、１つの遷移区間に対して１つの増幅器の故障を判定することができ、直列に接続された増幅器１３，１４の各々の故障を少ない処理負荷で判定することができる。
【０１０８】
［他の実施例］
［１］実施例１〜３では、直列に接続された２つの増幅器である増幅器１３，１４を例示したが、増幅器の数は２つに限定されるものではなく、３つ以上であっても良い。
【０１０９】
［２］実施例１〜３では、直列に接続された複数の増幅器の各々の故障の判定について説明を行ったが、この「故障」には、増幅器自体の故障だけでなく、増幅器へ制御信号を伝送する信号線の故障が含まれても良い。
【０１１０】
［３］実施例１及び２では、複数の増幅器の各々の故障を判定する場合を説明したが、これには限られず、複数の増幅器の各々の故障の前兆を判定しても良い。例えば、実施例１における故障判定部１７は、「複数の出力タイミング」の各々の後の所定区間において電力測定部１６で測定された電力の値と、この所定区間において増幅器１４から出力されるべき信号の電力の値との「差分」を上記の「変化量」として算出する。そして、故障判定部１７は、算出した「差分」の値が第１の閾値よりも大きい場合に、増幅器１３，１４の各々の故障が発生していると判定する。一方、故障判定部１７は、算出した「差分」の値が第１の閾値以下である場合に、「差分」が第２の閾値以上であるか否かを判定する。第２の閾値は、第１の閾値よりも小さい閾値である。故障判定部１７は、「差分」が第２の閾値以上である場合に、増幅器１３，１４の各々の故障の前兆が発生していると判定する。故障の前兆は、例えば、利得の低下に起因して発生する。
【０１１１】
［４］上記実施例１〜３で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１１２】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１１３】
上記実施例１〜３の無線装置は、例えば、次のようなハードウェア構成により実現することができる。
【０１１４】
図１２は、無線装置のハードウェア構成例を示す図である。図１２に示すように無線装置１００は、プロセッサ１０１と、メモリ１０２と、ＲＦ（Radio  Frequency）回路１０３とを有する。プロセッサ１０１の一例としては、ＣＰＵ、ＤＳＰ（Digital  Signal  Processor）、ＦＰＧＡ（Field  Programmable  Gate  Array）等が挙げられる。また、メモリ１０２の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０１１５】
そして、実施例１から実施例３の無線装置で行われる各種処理機能は、不揮発性記憶媒体などの各種メモリに格納されたプログラムを増幅装置が備えるプロセッサで実行することによって実現してもよい。
【０１１６】
すなわち、制御信号出力部１１，３１，５１と、電力測定部１６と、故障判定部１７，３７，５７とによって実行される各処理に対応するプログラムがメモリ１０２に記憶され、各プログラムがプロセッサ１０１で実行されても良い。また、歪補償係数算出部１８と、ＬＵＴ１９と、乗算器２０とによって実行される各処理に対応するプログラムがメモリ１０２に記憶され、各プログラムがプロセッサ１０１で実行されても良い。また、送信回路１２と、増幅器１３，１４と、カプラ１５とは、ＲＦ回路１０３により実現される。
【符号の説明】
【０１１７】
１０，３０，５０  無線装置
１１，３１，５１  制御信号出力部
１３，１４，２４，２５  増幅器
１５  カプラ
１６  電力測定部
１７，３７，５７  故障判定部
１８  歪補償係数算出部
１９  ＬＵＴ
２０  乗算器
２１  ＤＡＣ
２２  直交変調器
２３  発振器
２６  直交復調器
２７  ＡＤＣ
【図１】
2017121002.tif 000003
【図２】
2017121002.tif 000004
【図３】
2017121002.tif 000005
【図４】
2017121002.tif 000006
【図５】
2017121002.tif 000007
【図６】
2017121002.tif 000008
【図７】
2017121002.tif 000009
【図８】
2017121002.tif 000010
【図９】
2017121002.tif 000011
【図１０】
2017121002.tif 000012
【図１１】
2017121002.tif 000013
【図１２】
2017121002.tif 000014